(57)【要約】【課題】治験依頼者と治験実施機関との間を仲介し、治験の効率化を図る。【解決手段】データベース４２０に治験依頼者に関する情報、治験実施機関に関する情報、治験依頼者によって登録される治験対象疾患名、治験期間、総症例数及び総予算を含む治験基本情報、治験名称、治験実施期間、症例数及び予算を含む治験契約条件等を記憶し、制御及び情報配信機構４１０により、治験実施機関へ契約条件情報記憶領域に登録された治験契約条件の情報を配信する処理、配信した治験契約条件に係る治験への治験実施機関の応募を登録する処理、治験契約条件に係る治験への応募状況を当該治験契約条件を登録した治験依頼者に配信する処理を行う。【選択図】図４
2007122295.tif 000002
【特許請求の範囲】
【請求項１】
治験依頼者に関する情報を記憶する治験依頼者情報記憶領域と、治験実施機関に関する情報を記憶する治験実施機関情報記憶領域と、治験依頼者、治験対象疾患名、治験期間、総症例数及び総予算に関する情報を含む治験基本情報を記憶する治験基本情報記憶領域と、治験名称、治験実施期間、症例数及び予算を含む治験契約条件の情報を記憶する契約条件情報記憶領域とを有するデータベースと、
制御及び情報配信機構とを備え、
前記制御及び情報配信機構は、前記治験実施機関へ前記契約条件情報記憶領域に登録された治験契約条件の情報を配信する処理、前記配信した治験契約条件に係る治験への前記治験実施機関の応募を登録する処理、前記治験契約条件に係る治験への応募状況を当該治験契約条件を登録した治験依頼者に配信する処理を実行することを特徴とする治験情報処理サーバ。
【請求項２】
請求項１記載の治験情報処理サーバにおいて、前記治験契約条件には前記治験実施期間及び症例数を異にする複数の条件が選択可能に登録されていることを特徴とする治験情報処理サーバ。
【請求項３】
請求項２記載の治験情報処理サーバにおいて、前記制御及び情報配信機構は、前記治験基本情報記憶領域に記憶された治験基本情報から前記治験契約条件を生成する処理を行うことを特徴とする治験情報処理サーバ。
【請求項４】
請求項１記載の治験情報処理サーバにおいて、前記データベースは、前記治験実施機関の格付けに関する情報を記憶する格付け情報記憶領域を更に有することを特徴とする治験情報処理サーバ。
【請求項５】
請求項４記載の治験情報処理サーバにおいて、前記データベースは、更に、前記治験依頼者と前記治験実施機関との間で成立した契約条件に関する情報を記憶する契約情報記憶領域と、終了した治験に要した前記治験実施期間及び実際に処理を行った症例数を含む治験実績情報を記憶する治験実績情報記憶領域を有し、
前記制御及び情報配信機構は、前記治験実績情報とそれに対応する治験契約条件の内容を比較して前記治験実施機関を格付けする処理、及びその格付け情報を前記格付け情報記憶領域に登録する処理を行うことを特徴とする治験情報処理サーバ。
【請求項６】
請求項４記載の治験情報処理サーバにおいて、１つの治験契約条件に必要数以上の応募があったとき、前記制御及び情報配信機構は、前記治験実施機関の格付けに関する情報を参照して、当該治験契約条件への応募登録を格付けの高い順に必要数の治験実施機関に制限する処理を行うことを特徴とする治験情報処理サーバ。
【請求項７】
請求項１記載の治験情報処理サーバにおいて、前記データベースは、更に、前記治験実施機関による治験実施可能な疾患名及び被験者数の情報を含むパネル統計情報を記憶するパネル統計情報記憶領域を有し、
前記制御及び情報配信機構は、前記パネル統計情報記憶領域に登録されているパネル統計情を前記治験依頼者に配信する処理を行うことを特徴とする治験情報処理サーバ。
【請求項８】
請求項１記載の治験情報処理サーバにおいて、前記データベースは、更に、治験実施機関が治験の実施を希望する疾患名と症例数を含む実施希望治験情報を登録する実施希望治験情報記憶領域を有し、
前記制御及び情報配信機構は、前記実施希望治験情報記憶領域に登録された実施希望治験情報を前記治験依頼者に配信する処理を行うことを特徴とする治験情報処理サーバ。
【請求項９】
請求項８記載の治験情報処理サーバにおいて、前記制御及び情報配信機構は、前記治験契約条件と実施希望治験情報とのマッチングをとり、前記治験契約条件を満たす実施希望治験情報を登録している治験実施機関を抽出する処理を行うことを特徴とする治験情報処理サーバ。
【請求項１０】
治験依頼者に関する情報を記憶する治験依頼者情報記憶領域と、治験実施機関に関する情報を記憶する治験実施機関情報記憶領域と、治験依頼者、治験対象疾患名、治験期間、総症例数及び総予算に関する情報を含む治験基本情報を記憶する治験基本情報記憶領域と、治験名称、治験実施期間、症例数及び予算を含む治験契約条件の情報を記憶する契約条件情報記憶領域とを有するデータベースと、制御及び情報配信機構とを備えた治験情報処理サーバによる治験情報処理方法であって、
前記制御及び情報配信機構が、
前記治験依頼者から治験基本情報を受信し、当該情報を前記治験基本情報記憶領域に記憶する工程、
前記治験基本情報から治験契約条件を生成し、生成した治験契約条件を前記契約条件情報記憶領域に登録する工程、
前記治験実施機関へ前記契約条件情報記憶領域に登録された治験契約条件の情報を配信する工程、
前記配信した治験契約条件に係る治験への前記治験実施機関の応募を登録する工程、
前記治験契約条件に係る治験への応募状況を当該治験契約条件を登録した治験依頼者に配信する工程、
を実行する治験情報処理方法。
【請求項１１】
請求項１０記載の治験情報処理方法において、前記データベースは、更に、前記治験依頼者と前記治験実施機関との間で成立した契約条件に関する情報を記憶する契約情報記憶領域と、終了した治験に要した前記治験実施期間及び実際に処理を行った症例数を含む治験実績情報を記憶する治験実績情報記憶領域を有し、
前記制御及び情報配信機構が、
前記治験実績情報とそれに対応する治験契約条件の内容を比較して前記治験実施機関を格付けする工程、
その格付け情報を前記格付け情報記憶領域に登録する工程
を実行する治験情報処理方法。
【請求項１２】
請求項１１記載の治験情報処理方法において、
前記制御及び情報配信機構が、
１つの治験契約条件に対して必要数以上の応募が登録されているか判定する工程、
必要数以上の応募が登録されていると判定されたとき、前記治験実施機関の格付けに関する情報を参照して、当該治験契約条件への応募登録を格付けの高い順に必要数の治験実施機関に制限する工程
を実行する治験情報処理方法。
【請求項１３】
請求項１０記載の治験情報処理方法において、前記データベースは、更に、前記治験実施機関による治験実施可能な疾患名及び被験者数の情報を含むパネル統計情報を記憶するパネル統計情報記憶領域を有し、
前記制御及び情報配信機構は、前記パネル統計情報記憶領域に登録されているパネル統計情を前記治験依頼者に配信する工程を実行する治験情報処理方法。
【請求項１４】
請求項１０記載の治験情報処理方法において、前記データベースは、更に、治験実施機関が治験の実施を希望する疾患名と症例数を含む実施希望治験情報を登録する実施希望治験情報記憶領域を有し、
前記制御及び情報配信機構は、前記実施希望治験情報記憶領域に登録された実施希望治験情報を前記治験依頼者に配信する工程を実行する治験情報処理方法。
【請求項１５】
請求項１４記載の治験情報処理方法において、
前記制御及び情報配信機構は、前記治験契約条件と実施希望治験情報とのマッチングをとる工程、
前記治験契約条件を満たす実施希望治験情報を登録している治験実施機関を抽出する工程
を実行する治験情報処理方法。
【発明の詳細な説明】
【技術分野】
【０００１】
本発明は、治験を行う際、製薬メーカなどの治験依頼者と病院などの治験実施機関との間で結ばれる契約を支援するシステムに関するものである。
【背景技術】
【０００２】
製薬メーカが開発した治療効果のある薬剤を、医薬品として病院等の医療機関で使用したり、薬局で販売する為には、事前に厚生労働省に承認・認可してもらうことが法律で義務づけられている。その為には、承認前の薬剤（医薬品候補）を実際に患者や健康な人に投与することにより、安全性と有効性（効果）を確かめる必要がある。この新薬開発の為の治療を兼ねた試験のことを治験と言う。
【０００３】
治験における主な問題点は、治験の被験者の確保が困難なことである。被験者の迅速な確保は、新薬の開発コストの面などで治験依頼者にとって死活問題となっている。この被験者を確保するための対策として、被験者パネルという概念がある。被験者パネルとは、被験者の候補者となりうるボランティアを事前登録することにより作成されるリストのことである。欧米ではボランティアデータベースと言われている。被験者パネルは、治験に参加した被験者からの紹介、健康診断による情報、他の医療機関からの紹介、患者の会からの紹介などにより作成されることが一般的であり、医療機関の被験者パネルとして存在している場合が多いと考えられる。
【０００４】
被験者パネルを医療機関が保持していれば、治験の依頼時に同パネルを参照することで被験者のリストが判明するので、効率よく被験者を募集することが可能となる。また、同被験者に対して依頼開始直後から投薬を開始すれば、投薬期間は予め定められているので自動的に終了時期が判明し、短期間に投与が終了することとなる。
【０００５】
治験依頼者と治験実施機関の間で行われる治験の契約は、何人の被験者を対象とするかを示す症例数、いつまでに治験を終了するかを示す治験実施期間、治験依頼者から治験実施機関に支払う治験費用を取り決めることで成立する。このとき、治験費用は症例数で割って、症例単価として取り扱われるのが一般的である。
【０００６】
【特許文献１】特開２００２−４１６５７号公報
【発明の開示】
【発明が解決しようとする課題】
【０００７】
被験者パネルの導入効果は謳われているが、実際に稼動している医療機関（以下、治験実施機関と記す）は少なく、治験を治験実施機関に依頼する製薬メーカ（以下、治験依頼者と記す）は、治験実施機関が感覚的に把握している症例数で契約せざるを得ない状況である。治験は、治験依頼者が治験実施機関を訪問して契約が行われるため、治験実施機関は自ら積極的に治験を選択することが不可能である。また、治験の契約において、治験実施期間の長短に係わらず症例単価が同一なため、治験を担当する医師は治験を依頼された当初からは積極的には取り組まず、治験実施期間の終了間際になって積極的になるという傾向がある。
【０００８】
本発明は、このような治験に伴う問題点に鑑み、治験依頼者と治験実施機関との間を仲介し、治験の効率化を図ることのできる治験情報処理サーバ及び治験情報処理方法を提供することを目的とする。
【課題を解決するための手段】
【０００９】
本発明による治験情報処理サーバは、症例数、終了期間、症例単価から成る契約条件を設定する手段、同契約条件を公開する手段、同契約条件に対して応募する手段、同一契約条件での競合を解消する手段、治験実施機関の格付け情報を格納する手段、同格付け情報を更新する手段を具備する。一例として、本発明による治験情報処理サーバは、データベースに治験依頼者に関する情報、治験実施機関に関する情報、治験依頼者によって登録される治験対象疾患名、治験期間、総症例数及び総予算を含む治験基本情報、治験名称、治験実施期間、症例数及び予算を含む治験契約条件等を記憶し、制御及び情報配信機構は、治験実施機関へ契約条件情報記憶領域に登録された治験契約条件の情報を配信する処理、配信した治験契約条件に係る治験への治験実施機関の応募を登録する処理、治験契約条件に係る治験への応募状況を当該治験契約条件を登録した治験依頼者に配信する処理を実行する。
【発明の効果】
【００１０】
本発明によると、パネル利用で根拠に基づいた症例数で契約が可能となる。治験実施機関が自由に治験を選択することも可能となる。また、症例単価の高い治験に応募することで、治験当初から医師が積極的に取り組むモチベーションを与えることができる。
【発明を実施するための最良の形態】
【００１１】
以下、図を用いて本発明の治験契約支援システムの複数の実施例を詳細に説明する。
【実施例１】
【００１２】
図１は、本発明に係わる治験契約支援システムの第一の実施例における関連機関の関係を示すブロック図である。
【００１３】
治験依頼者Ａ，Ｂは本発明に係わる治験契約支援システムを使って治験実施機関に治験を依頼する製薬メーカなど、治験実施機関ａ，ｂ，ｃは本発明に係わる治験契約支援システムを使って治験依頼者から治験を受託する医療機関、１５０は本発明に係わる治験契約支援システムを運営する治験契約支援センタであり、治験依頼者Ａ，Ｂや治験実施機関ａ，ｂ，ｃは、広域ネットワーク１６０を使って、治験契約支援センタ１５０にアクセスする。なお、治験依頼者は２つ、治験実施機関は３つに限定されるものではない。
【００１４】
本発明に係わる治験契約支援システムは、治験契約支援センタ１５０において、治験依頼者Ａ，Ｂからは治験の依頼に関する情報を、治験実施機関ａ，ｂ，ｃからは治験の受託に関する情報を受け取り、治験依頼者と治験実施機関の間の契約を支援する。治験契約支援センタ１５０を設け、該センタに治験依頼者Ａ，Ｂから得た治験情報を予め登録しておくことにより、治験実施機関ａ，ｂ，ｃは自機関が希望する治験を自由に選択することができる。
【００１５】
図２は、治験依頼者Ａ，Ｂのシステム構成を示すブロック図である。２００は治験依頼者Ａ，Ｂが図１１，１３，１４，１６，１９において詳細を示す治験依頼者情報の登録、治験基本情報の登録、契約条件情報の登録、契約の確定、パネルの統計情報の表示を行うための入出力端末である。
【００１６】
治験依頼者Ａ，Ｂは入出力端末２００を用い、広域ネットワーク１６０を経由して、本発明に係わる治験契約支援システムを具備した治験契約支援センタ１５０にアクセスする。そこで、治験実施機関ａ，ｂ，ｃに対して依頼を行いたい治験の情報及び契約条件の登録、応募のあった治験実施機関との契約の確定、パネルの統計情報を表示することによる治験実施機関の最新情報の取得を行う。治験依頼者Ａ，Ｂが入出力端末２００を操作して予め治験情報及び契約条件を登録しておくことにより、治験実施機関ａ，ｂ，ｃは自機関が希望する治験を自由に選択することができるようになる。
【００１７】
図３は、治験実施機関ａ，ｂ，ｃのシステム構成を示すブロック図である。３００は治験実施機関ａ，ｂ，ｃが図１２，１５，１７，１８において詳細を示す治験実施機関情報の登録、契約する治験の登録、治験の実績情報の登録、パネルの統計情報の入力を行うための入出力端末、３１０は被験者のリストを記憶した被験者パネルデータベース、３２０は被験者パネルデータベース３１０にアクセスするためのデータベース制御機構である。
【００１８】
上記のような構成の下、治験実施機関ａ，ｂ，ｃは入出力端末３００を用い、広域ネットワーク１６０を経由して、本発明に係わる治験契約支援システムを具備した治験契約支援センタ１５０にアクセスする。そこで、治験依頼者Ａ，Ｂが予め登録しておいた治験に関する情報の閲覧、希望する治験があった場合は契約条件を検討した上で登録、実施した治験に関する実績情報の入力、被験者パネルデータベース３１０から取得した被験者数情報などの入力を行う。治験実施機関ａ，ｂ，ｃは、入出力端末３００を操作することによって、予め登録してある治験情報及び契約条件の中から治験実施機関が希望する治験及び契約条件を選択することができる。
【００１９】
図４は、治験契約支援センタのシステム構成を示すブロック図である。４００は治験契約支援システムの入出力操作を行う入出力端末、４１０は治験契約支援システムの主たる制御を行うための制御及び情報配信機構、４２０は治験契約支援システムのデータを管理する治験契約支援データベース、４３０は治験契約支援データベース４２０にアクセスするためのデータベース制御機構、４４０は本発明に係わる治験契約支援システムである。制御及び情報配信機構４１０と治験契約支援データベース４２０については、図１０と図５を用いて詳細に説明する。
【００２０】
治験契約支援システム４４０は、治験依頼者Ａ，Ｂ、及び、治験実施機関ａ，ｂ，ｃから、広域ネットワーク１６０を経由してアクセスされる。治験契約支援システム４４０は、制御及び情報配信機構４１０により、該アクセスを処理し、必要な情報は適宜、データベース制御機構４３０を介して治験契約支援データベース４２０とやり取りする。治験契約支援システムは、治験依頼者Ａ，Ｂの入出力端末２００及び治験実施機関ａ，ｂ，ｃの入出力端末３００から入力された治験に関する各種情報を制御及び情報配信機構４１０によって処理し、治験契約支援データベース４２０に記憶することによって、治験依頼者Ａ，Ｂと治験実施機関ａ，ｂ，ｃの間の円滑な治験契約を支援することができる。
【００２１】
図５は、治験契約支援データベースに記憶されたテーブルの領域を示すブロック図である。５００は治験依頼者Ａ，Ｂの情報を記憶する治験依頼者情報記憶領域、５１０は治験実施機関ａ，ｂ，ｃの情報を記憶する治験実施機関情報記憶領域、５２０は治験に関する情報を記憶する治験基本情報記憶領域、５３０は治験の契約条件を記憶する契約条件情報記憶領域、５４０は成立した契約に関する情報を記憶する契約情報記憶領域、５５０は終了した治験の実績情報を記憶する治験実績情報記憶領域、５６０は治験実施機関ａ，ｂ，ｃの格付け情報を記憶する格付け情報記憶領域、５７０は治験実施機関ａ，ｂ，ｃの被験者パネルの情報を記憶するパネル統計情報記憶領域である。治験依頼者情報記憶領域５００と治験実施機関情報記憶領域５１０については図６を用いて、治験基本情報記憶領域５２０と契約条件情報記憶領域５３０については図７を用いて、契約情報記憶領域５４０と治験実績情報記憶領域５５０については図８を用いて、格付け情報記憶領域５６０とパネル統計情報記憶領域５７０については図９を用いて詳細に説明する。
【００２２】
上記のような構成を採ることで、治験契約支援システム４４０は、治験依頼者Ａ，Ｂ、及び、治験実施機関ａ，ｂ，ｃから取得した各種情報の管理を行い、制御及び情報配信機構４１０を用いて適宜、該情報の配信を行う。治験依頼者Ａ，Ｂの入出力端末２００及び治験実施機関ａ，ｂ，ｃの入出力端末３００から入力された治験に関する各種情報を制御及び情報配信機構４１０によって処理し、治験契約支援データベース４２０に記憶することによって、治験依頼者Ａ，Ｂと治験実施機関ａ，ｂ，ｃの間の円滑な治験契約を支援することができる。
【００２３】
図６は、治験依頼者情報記憶領域及び治験実施機関情報記憶領域に記憶されたテーブルの説明図である。
【００２４】
６００は治験依頼者情報記憶領域５００に記憶された治験依頼者情報テーブルであり、６１０は治験依頼者情報テーブル６００の主キーを管理するID領域、６１１は治験依頼者のユーザ名を管理するユーザ名領域、６１２は治験依頼者のパスワードを管理するパスワード領域、６１３は治験依頼者の商号を管理する商号領域、６１４は治験依頼者の所在地を管理する所在地領域、６１５は治験依頼者の電話番号を管理する電話番号領域、６１６は治験依頼者の資本金を管理する資本金領域、６１７は治験依頼者の従業員数を管理する従業員数領域である。６２０は治験実施機関情報記憶領域５１０に記憶された治験実施機関情報テーブルであり、６３０は治験実施機関情報テーブル６２０の主キーを管理するID領域、６３１は治験実施機関のユーザ名を管理するユーザ名領域、６３２は治験実施機関のパスワードを管理するパスワード領域、６３３は治験実施機関の名称を管理する名称領域、６３４は治験実施機関の所在地を管理する所在地領域、６３５は治験実施機関の電話番号を管理する電話番号領域、６３６は治験実施機関の病床数を管理する病床数領域、６３７は治験実施機関の外来患者数を管理する外来患者数領域、６３８は治験実施機関の診療科の数を管理する診療科数領域である。
【００２５】
治験依頼者情報テーブル６００へ情報を登録するインタフェースについては図１１を用いて、治験実施機関情報テーブル６２０へ情報を登録するインタフェースについては図１２を用いて詳細に説明する。
【００２６】
上記のような構成を採ることで、治験契約支援システム４４０は治験依頼者Ａ，Ｂ、及び、治験実施機関ａ，ｂ，ｃから取得したユーザ情報の管理を行い、制御及び情報配信機構４１０を用いて適宜、該情報の配信を行う。治験依頼者Ａ，Ｂの入出力端末２００及び治験実施機関ａ，ｂ，ｃの入出力端末３００から入力された各種情報を上記構成による治験依頼者情報テーブル６００及び治験実施機関情報テーブル６２０において管理することによって、治験依頼者Ａ，Ｂと治験実施機関ａ，ｂ，ｃの間の円滑な治験契約を支援することができる。
【００２７】
図７は、治験基本情報記憶領域及び契約条件情報記憶領域に記憶されたテーブルの説明図である。７００は治験基本情報記憶領域５２０に記憶された治験基本情報テーブルであり、７１０は治験基本情報テーブル７００の主キーを管理するID領域、７１１は治験依頼者情報テーブル６００への外部キーを管理する治験依頼者ID領域、７１２は治験依頼者Ａ，Ｂが治験実施機関ａ，ｂ，ｃに依頼する治験の名称を管理する治験名称領域、７１３は依頼する治験の対象疾患名を管理する対象疾患領域、７１４は依頼する治験の相を管理する相領域、７１５は依頼する治験の選択基準及び除外基準を管理する選択・除外基準領域、７１６は依頼する治験のプロトコルを管理するプロトコル領域、７１７は依頼する治験の期間を管理する治験期間領域、７１８は依頼する治験の症例数の合計を管理する総症例数領域、７１９は依頼する治験の総予算を管理する総予算領域である。７２０は契約条件情報記憶領域に記憶された契約条件情報テーブルであり、７３０は契約条件情報テーブル７２０の主キーを管理するID領域、７３１は治験基本情報テーブル７００への外部キーを管理する治験基本ID領域、７３２は治験を実施する期間を管理する治験実施期間領域、７３３は実施する治験実施機関の数を管理する治験実施機関数領域、７３４は受託する症例の数を管理する症例数領域、７３５は受託する症例の単価を管理する症例単価領域である。
【００２８】
ここで、相とは、治験のステップを示し、IからIVまで存在し、順番に実施される。I相は健康な少数の人に対する治験、II相は病気の少数の人、III相は病気の多数の人、IV相は薬が販売された後の多数の人に対する治験を指す（http://www.vob.jp/chiken1.html）。また、プロトコルとは、薬の飲み方や、何日毎に来院してある検査を受ける、といった治験依頼者が決めた取り決めのことを指す。
【００２９】
治験基本情報テーブル７００へ情報を登録するインタフェースについては図１３を用いて、契約条件情報テーブル７２０へ情報を登録するインタフェースについては図１４を用いて詳細に説明する。
【００３０】
上記のような構成を採ることで、治験契約支援システム４４０は治験依頼者Ａ，Ｂが依頼を行いたい治験情報と該治験の契約条件情報の管理を行う。該情報が制御及び情報配信機構４１０を用いて配信されることで、治験実施機関ａ，ｂ，ｃは自機関が希望する治験情報を取得することができる。このように予め治験情報及び契約条件を登録しておくことにより、治験実施機関は該情報の中から希望する治験及び契約条件を選択することができる。
【００３１】
図８は、契約情報記憶領域及び治験実績情報記憶領域に記憶されたテーブルの説明図である。８００は契約情報記憶領域５４０に記憶された契約情報テーブルであり、８１０は契約情報テーブル８００の主キーを管理するID領域、８１１は契約条件情報テーブル７２０への外部キーを管理する契約条件ID領域、８１２は治験実施機関情報テーブル６２０への外部キーを管理する治験実施機関ID領域、８１３は治験実施機関ａ，ｂ，ｃが契約条件ID領域８１１に格納された契約条件に応募した年月日を記憶する応募年月日領域、８１４は治験の契約が成立した年月日を管理する契約年月日領域である。８２０は治験実績情報記憶領域５５０に記憶された治験実績情報テーブルであり、８３０は治験実績情報テーブル８２０の主キーを管理するID領域、８３１は契約情報テーブル８００への外部キーを管理する契約ID領域、８３２，８３３は契約が成立し実施した治験の開始年月日及び終了年月日を管理する開始年月日領域、終了年月日領域、８３４は実施した治験で実際に処理した症例数を管理する実績症例数領域である。
【００３２】
契約情報テーブル８００へ情報を登録するインタフェースについては図１５，１６を用いて、治験実績情報テーブル８２０へ情報を登録するインタフェースについては図１７を用いて詳細に説明する。
【００３３】
治験契約支援システム４４０は契約条件毎に応募した治験実施機関ａ，ｂ，ｃの情報とその応募年月日を、また、該治験実施機関と契約が成立した場合は契約の年月日を管理する。更に、成立した契約毎に実施された治験の実績情報を管理することで、図９に示す格付け情報へ情報をフィードバックすることを可能とする。このように契約に関する情報及び実施した治験の実績情報を管理しておくことにより、新たな契約を締結する際、治験実施機関からの応募が競合したときの評価情報として利用することができる。
【００３４】
図９は、格付け情報記憶領域及びパネル統計情報記憶領域に記憶されたテーブルの説明図である。９００は格付け情報記憶領域５６０に記憶された格付け情報テーブルであり、９１０は格付け情報テーブル９００の主キーを管理するID領域、９１１は治験実施機関情報テーブル６２０への外部キーを管理する治験実施機関ID領域、９１２は対象疾患名を管理する対象疾患領域、９１３は格付けのランクを管理するランク領域、９１４は情報が更新された年月日を管理する更新年月日領域である。９２０はパネル統計情報記憶領域５７０に記憶されたパネル統計情報テーブルであり、９３０はパネル統計情報テーブル９２０の主キーを管理するID領域、９３１は治験実施機関情報テーブル６２０への外部キーを管理する治験実施機関ID領域、９３２は対象疾患名を管理する対象疾患領域、９３３は対象疾患領域9３2で管理されている対象疾患の被験者の数を管理する被験者数領域、９３４は情報が更新された年月日を管理する更新年月日領域である。
【００３５】
格付け情報テーブル９００の処理については図１７を用いて、パネル統計情報テーブル９２０へ情報を登録するインタフェースについては図１８を用いて詳細に説明する。
【００３６】
治験契約支援システム４４０は治験実施機関毎に格付け情報を管理しておき、契約時に競合状態になった際に評価情報として利用可能とする。また、同様に治験実施機関毎に対象疾患と該対象疾患の被験者数を管理しておくことにより、治験依頼者に治験実施機関の最新情報を提供することを可能とする。治験実施機関の格付け情報を管理しておくことにより、新たな契約を締結する際に治験実施機関からの応募が競合したときの評価情報として利用することができる。また、パネルの統計情報を管理しておくことにより、治験実施機関は自機関における治験の受託能力をアピールすることができ、また、治験依頼者は複数の治験実施機関の中から治験に最適な機関を選択するための基礎データを取得することができる。
【００３７】
図１０は、制御及び情報配信機構の詳細な構成を示すブロック図である。１０００は治験依頼者Ａ，Ｂの入出力端末２００及び治験実施機関ａ，ｂ，ｃの入出力端末３００に図１１から図１９において詳細を示す各種インタフェースを配信するための情報配信機構、１０１０は図１４において詳細を示す各種契約条件を生成する契約条件生成機構、１０２０は図１６において詳細を示すある契約条件に複数の治験実施機関の応募が殺到した際、競合を解消する応募競合解消機構、１０３０は応募競合解消機構１０２０で競合を解消する際の評価として利用される格付け情報を更新するための格付け情報更新機構である。格付け情報更新機構１０３０については図１７を用いて詳細に説明する。
【００３８】
治験契約支援システム４４０は情報配信機構１０００によって図１１から図１９までの各種インタフェースの配信及び入力情報の取り扱いを行う。契約条件生成機構１０１０は、治験の契約条件を設定する際に起動され、治験依頼者Ａ，Ｂが登録した治験に関する期間、総症例数、総予算の情報を基にして、治験実施機関ａ，ｂ，ｃが選択可能で適切な契約条件を自動的に生成する。応募競合解消機構１０２０は、ある契約条件に複数の治験実施機関の応募が殺到し競合した際に起動され、格付け情報テーブル９００を参照して自動的に適切な治験実施機関を選択する。格付け情報更新機構１０３０は、治験実績情報テーブル８２０の情報が更新された際に起動され、該情報に基づいて格付け情報テーブル９００の情報を更新する。
【００３９】
上記の構成を採ることにより、情報配信機構１０００によって、治験依頼者Ａ，Ｂ及び治験実施機関ａ，ｂ，ｃに適切な情報を提供し、契約に必要な情報を収集することができる。契約条件生成機構１０１０は、治験依頼者Ａ，Ｂが登録した治験に関する期間、総症例数、総予算の情報を基にして、治験実施機関ａ，ｂ，ｃが選択可能で適切な契約条件を自動的に生成することで、治験依頼者が自ら行うべき契約条件の設定の手間を削減することができる。応募競合解消機構１０２０は、格付け情報更新機構１０３０で更新する格付け情報と関連し、契約条件生成機構１０１０で生成した契約条件に対し、複数の治験実施機関の応募が殺到した場合、格付け情報を参照して自動的に競合解消処理を行うため、治験依頼者は自ら行うべき競合の解消操作を削減することができる。その競合解消には過去に行った治験の実績情報に基づいた格付け情報を用いているため、根拠に基づいた評価となっている。格付け情報更新機構１０３０は、契約が成立し実施した治験に関する実績情報を治験実施機関から収集し、該実績情報に基づいて格付け情報を更新するため、治験を受託して実施したままではなく、実績情報というフィードバックを得ることで、治験依頼者は治験実施機関と新規の契約を行う際の評価情報を得ることができるようになる。
【００４０】
図１１は、治験依頼者が治験依頼者情報を登録するためのインタフェースの説明図である。１１００は治験依頼者情報テーブル６００へ情報を登録するための治験依頼者情報登録インタフェースであり、１１１５はユーザ名領域６１１へユーザ名を入力するためのユーザ名入力領域、１１２０はパスワード領域６１２へパスワードを入力するためのパスワード入力領域、１１３０は商号領域６１３へ商号を入力するための商号入力領域、１１４０は所在地領域６１４へ所在地を入力するための所在地入力領域、１１５０は電話番号領域６１５へ電話番号を入力するための電話番号入力領域、１１６０は資本金領域６１６へ資本金を入力するための資本金入力領域、１１７０は従業員数領域６１７へ従業員数を入力するための従業員数入力領域、１１８０は上記情報を治験契約支援データベース４２０に登録するための登録ボタンである。
【００４１】
上記のインタフェースを用い、治験依頼者Ａ，Ｂが自らのユーザ情報を入力し、登録ボタン１１８０を押下すると、情報配信機構１０００は治験依頼者情報テーブル６００に該情報を登録する。治験依頼者Ａ，Ｂは、治験依頼者情報登録インタフェース１１００を用いて治験契約支援システムにユーザの登録を行うことで、治験実施機関ａ，ｂ，ｃと円滑な治験の契約を行うことが可能となる。
【００４２】
図１２は、治験実施機関が治験実施機関情報を登録するためのインタフェースの説明図である。１２００は治験実施機関情報テーブル６２０へ情報を登録するための治験実施機関情報登録インタフェースであり、１２１０はユーザ名領域６３１へユーザ名を入力するためのユーザ名入力領域、１２２０はパスワード領域６３２にパスワードを入力するためのパスワード入力領域、１２３０は名称領域６３３へ名称を入力するための名称入力領域、１２４０は所在地領域６３４へ所在地を入力するための所在地入力領域、１２５０は電話番号領域６３５へ電話番号を入力するための電話番号入力領域、１２６０は病床数領域６３６へ病床数を入力するための病床数入力領域、１２７０は外来患者数６３７へ外来患者数を入力するための外来患者数入力領域、１２８０は診療科数領域６３８へ診療科数を入力するための診療科数入力領域、１２９０は上記情報を治験契約支援データベース４２０に登録するための登録ボタンである。
【００４３】
上記のインタフェースを用い、治験実施機関ａ，ｂ，ｃが自らのユーザ情報を入力し、登録ボタン１２９０を押下すると、情報配信機構１０００は治験実施機関情報テーブル６２０に該情報を登録する。治験実施機関ａ，ｂ，ｃは、治験実施機関情報登録インタフェース１２００を用いて治験契約支援システムにユーザの登録を行うことで、治験依頼者Ａ，Ｂと円滑な治験の契約を行うことが可能となる。
【００４４】
図１３は、治験依頼者が治験基本情報を登録するためのインタフェースの説明図である。１３００は治験基本情報テーブル７００へ情報を登録するための治験基本情報登録インタフェースであり、１３１０は治験名称領域７１２へ治験の名称を入力するための治験名称入力領域、１３２０は対象疾患領域７１３へ対象疾患名を入力するための対象疾患入力領域、１３３０は相領域７１４へ相の情報を入力するための相入力領域、１３４０は選択・除外基準領域７１５へ選択基準・除外基準を入力するための選択・除外基準入力領域、１３５０はプロトコル領域７１６へプロトコルを入力するためのプロトコル入力領域、１３６０は治験期間領域７１７へ治験期間を入力するための治験期間入力領域、１３７０は総症例数領域７１８へ総症例数を入力するための総症例数入力領域、１３８０は総予算領域７１９へ総予算を入力するための総予算入力領域、１３９０は上記情報を治験契約支援データベース４２０に登録するための登録ボタン、１３９５は図１４において詳細を示す契約条件情報登録インタフェースを表示する契約条件生成ボタン、１３９８は処理を終了するための終了ボタンである。契約条件生成ボタン１３９５を押下することによって表示される契約条件情報登録インタフェースについては、図１４を用いて詳細に説明する。
【００４５】
上記のインタフェースを用い、治験依頼者Ａ，Ｂが依頼を実施する治験に関する情報を入力し、登録ボタン１３９０を押下すると、情報配信機構１０００は治験基本情報テーブル７００に該情報を登録する。治験依頼者Ａ，Ｂが治験基本情報登録インタフェース１３００を用いて予め治験実施機関ａ，ｂ，ｃに依頼する治験の情報を登録しておくことで、治験実施機関ａ，ｂ，ｃは自ら希望する治験を選択することができるようになる。
【００４６】
図１４は、治験依頼者が契約条件情報を登録するためのインタフェースの説明図である。１４００は契約条件情報テーブル７２０へ情報を登録するための契約条件情報登録インタフェースであり、１４１０は治験実施期間領域７３２へ治験実施期間を入力するための治験実施期間表示領域、１４２０は治験実施機関数領域７３３へ治験実施機関の数を入力するための治験実施機関数表示領域、１４３０は症例数領域７３４へ症例数を入力するための症例数表示領域、１４４０は症例単価領域７３５へ症例単価を入力するための症例単価表示領域、１４５０は治験実施機関数表示領域１４２０に表示された実施機関数と症例数表示領域１４３０に表示された症例数を掛け合わせた症例数の小計を表示する症例数小計表示領域、１４６０は症例数小計表示領域１４５０に表示された症例数の小計と症例単価表示領域１４４０に表示された症例単価を掛け合わせた治験費用の小計を表示する治験費用小計表示領域、１４７０は上記情報を治験契約支援データベース４２０に登録するための登録ボタンである。
【００４７】
治験依頼者Ａ，Ｂが契約条件生成ボタン１３９５を押下した場合、情報配信機構１０００は契約条件生成機構１０１０を起動する。契約条件生成機構１０１０は治験期間入力領域１３６０に入力された治験期間、総症例数入力領域１３７０に入力された総症例数、総予算入力領域１３８０に入力された総予算を基に、複数の契約条件を生成する。
【００４８】
該契約条件は、例えば治験実施期間に関しては、治験期間入力領域１３６０に入力された治験期間に１倍、０．５倍、０．２５倍を掛け合わせて生成する。症例数に関しても同様に例えば、総症例数入力領域１３７０に入力された総症例数に１倍、０．５倍、０．２５倍を掛け合わせて生成する。症例単価に関しては、ある程度市場で決まっている数値があるので、例えば該数値に１倍、１．２倍、１．４倍を掛け合わせて契約条件の症例単価を生成する。治験実施機関数に関しては、上記数値の連立方程式を解いて算出する。なお、契約条件の算出は上記例に限定されるものではない。
【００４９】
情報配信機構１０００は、上記のようにして生成した契約条件を読み込んで契約条件情報登録インタフェース１４００を表示する。治験依頼者Ａ，Ｂは表示された契約条件が適切であれば登録ボタン１４７０を押下する。適切な契約条件ではない場合、治験依頼者Ａ，Ｂは、治験実施期間表示領域１４１０、治験実施機関数表示領域１４２０、症例数表示領域１４３０、症例単価表示領域１４４０に表示された数値を変更して適切な契約条件になるように修正する。その際、情報配信機構１０００は症例数小計表示領域１４５０、治験費用小計表示領域１４６０に表示された数値に矛盾が生じないように再計算を行う。
【００５０】
治験依頼者Ａ，Ｂが登録ボタン１４７０を押下した場合、情報配信機構１０００は、契約条件情報登録インタフェース１４００に表示された契約条件情報を契約条件情報テーブル７２０に登録する。このように契約条件生成機構１０１０によって、治験依頼者Ａ，Ｂが登録した治験に関する期間、総症例数、総予算の情報を基にして、治験実施機関ａ，ｂ，ｃが選択可能な適切な契約条件を自動的に生成することで、治験依頼者は自ら行うべき契約条件の設定の手間を削減することができる。
【００５１】
図１５は、治験実施機関が契約を登録するためのインタフェースの説明図である。１５００は契約情報テーブル８００へ応募情報を登録するための契約登録インタフェースであり、１５１０は該当治験の詳細情報を表示するための詳細表示ボタン、１５２０は希望の契約条件に対して応募するための契約入力領域、１５３０は上記情報を治験契約支援データベース４２０に登録するための登録ボタンである。
【００５２】
上記のインタフェースを用い、治験実施機関ａ，ｂ，ｃは希望の契約条件に対して、契約入力領域１５２０にチェックを入力することで応募する。治験実施機関ａ，ｂ，ｃが登録ボタン１５３０を押下すると、情報配信機構１０００は該治験実施機関と応募の年月日を契約情報テーブル８００に登録する。治験実施機関ａ，ｂ，ｃが詳細表示ボタン１５１０を押下した場合、情報配信機構１０００は該治験情報に関する詳細情報を表示する。詳細情報の表示インタフェースとしては、図１３に示した治験基本情報表示インタフェース１３００に類似したものを用いることができる。上記のようなインタフェースを用いることで、治験実施機関は予め登録してある治験情報及び契約条件の中から希望する治験及び契約条件を選択することができる。
【００５３】
図１６は、治験依頼者が契約を確定するためのインタフェースの説明図である。１６００は契約情報テーブル８００へ契約の確定情報を登録するための契約確定インタフェースであり、１６１０は該当する契約条件に応募している治験実施機関を表示する応募実施機関表示領域、１６２０はある契約条件に治験実施機関数以上の治験実施機関が応募した際、競合を解消する競合解消ボタン、１６３０は確定した契約を治験契約支援データベース４２０に登録するための確定ボタンである。
【００５４】
上記のインタフェースを用い、治験依頼者Ａ，Ｂは各契約条件に応募した治験実施機関を確認する。ここで、応募状況に競合が起こっている場合に、治験依頼者Ａ，Ｂが競合解消ボタン１６２０を押下すると、情報配信機構１０００は応募競合解消機構１０２０を起動する。応募競合解消機構１０２０は、応募実施機関表示領域１６１０に表示された治験実施機関に関する格付け情報を格付け情報テーブル９００から取得し、ランクの上位から実施機関数だけ治験実施機関を選択し、応募実施機関表示領域１６１０に再表示を行う。
【００５５】
治験依頼者Ａ，Ｂは応募実施機関表示領域１６１０に再表示された治験実施機関が適切か判断し、適切な場合は確定ボタン１６３０を押下する。情報配信機構１０００は応募実施機関表示領域１６１０に表示された治験実施機関の情報に従い、契約情報テーブル８００の契約年月日領域８１４に現在の年月日を登録し、治験の契約を成立させる。上記のようなインタフェースを用いて応募競合解消機構を具備することで、ある特定の契約条件に複数の治験実施機関の応募が殺到した場合、格付け情報を参照して自動的に競合解消の処理が可能となり、治験依頼者自ら行うべき競合の解消操作を削減することができる。
【００５６】
図１７は、治験実施機関が治験の実績情報を登録するためのインタフェースの説明図である。１７００は治験実績情報テーブル８２０へ情報を登録するための実績情報登録インタフェースであり、１７１０は開始年月日領域８３２へ治験を開始した年月日を入力するための開始年月日入力領域、１７２０は終了年月日領域８３３へ治験を終了した年月日を入力するための終了年月日入力領域、１７３０は実績症例数領域８３４へ実際に行った症例数を入力するための実績症例数入力領域、１７４０は上記情報を治験契約支援データベース４２０に登録するための登録ボタンである。
【００５７】
上記のインタフェースを用い、治験実施機関ａ，ｂ，ｃが実施した治験に関する実績情報として、治験の開始年月日、終了年月日、実際に処理を行った実績症例数を入力し、登録ボタン１７４０を押下すると、情報配信機構１０００は治験実績情報テーブル８２０に該情報を登録する。登録によって治験実績情報テーブル８２０の情報が更新されると、格付け情報更新機構１０３０が起動される。格付け情報更新機構１０３０は、治験実績情報テーブル８２０の情報と対応する契約条件情報テーブル７２０の情報を比較し、契約条件をより満たした実績を残した治験実施機関からランクを振り直し、格付け情報テーブル９００の情報を更新する。上記のようなインタフェースを用いて、実施した治験に関する実績情報を治験実施機関から収集し、該実績情報に基づいて格付け情報を更新することで、治験依頼者は治験実施機関と新規の契約を行う際の評価情報を得ることができるようになる。
【００５８】
図１８は、治験実施機関がパネルの統計情報を入力するためのインタフェースの説明図である。１８００はパネル統計情報テーブル９２０へ情報を登録するためのパネル統計情報入力インタフェースであり、１８１０は対象疾患領域９３２へ対象疾患名を入力するための疾患名入力領域、１８２０は被験者数領域９３３に被験者の数を入力するための被験者数入力領域、１８３０は上記情報を治験契約支援データベース４２０に登録するための登録ボタンである。
【００５９】
上記のインタフェースを用い、治験実施機関ａ，ｂ，ｃが被験者パネルデータベース３１０から取得した疾患名と被験者数の情報を入力し、登録ボタン１８３０を押下すると、情報配信機構１０００はパネル統計情報テーブル９２０に該情報を登録する。上記のようなインタフェースでパネルの統計情報を登録することにより、治験実施機関は自機関における治験の受託能力を治験依頼者にアピールすることができる。
【００６０】
図１９は、治験依頼者がパネルの統計情報を表示するためのインタフェースの説明図である。１９００はパネル統計情報テーブル９２０から情報を取得し視覚化して表示するパネル統計情報表示インタフェースである。
【００６１】
治験依頼者Ａ，Ｂが上記のインタフェースを起動すると、情報配信機構１０００はパネル統計情報テーブル９２０を参照し、最新の情報を用いて視覚化を行う。上記のようなインタフェースでパネルの統計情報を表示することにより、治験依頼者は複数の治験実施機関の中から治験に最適な機関を選択するための基礎データを取得することができる。
【００６２】
図２０は、治験契約支援センタへの操作を時間軸に沿って示した説明図である。治験依頼者Ａ，Ｂは、まず治験依頼者情報を治験契約支援センタ１５０に登録し、本発明に係わる治験契約支援システムへのアクセス権を取得する（ステップ２０００）。次に、依頼したい治験基本情報を治験契約支援センタ１５０に登録し（ステップ２０１０）、更に治験基本情報を基に生成した契約条件情報も登録し（ステップ２０２０）、治験情報の登録を完了する。
【００６３】
一方、治験実施機関ａ，ｂ，ｃは、治験契約支援センタ１５０に自身の治験実施機関情報を登録し、本発明に係わる治験契約支援システムへのアクセス権を取得する（ステップ２０３０）。次に、登録されている治験情報を閲覧し、希望の治験に対して契約を登録する（ステップ２０４０）。この時点では登録しただけで、確定したわけではない。
【００６４】
ある程度契約の登録が行われた時点で、治験依頼者Ａ，Ｂは契約を確定し（ステップ２０５０）、確定した情報に従って治験依頼者Ａ，Ｂと治験実施機関ａ，ｂ，ｃの間で契約を締結する。
【００６５】
治験を受託した治験実施機関ａ，ｂ，ｃは、直ちに治験を開始し、終了時には治験に関する実績情報を登録する（ステップ２０６０）。治験契約支援センタでは実績情報に基づき格付け情報を更新し、新規契約時の応募の競合に備えておく。
【００６６】
一方、治験実施機関ａ，ｂ，ｃは、自機関における治験の受託能力をアピールするため、パネル統計情報を治験契約支援センタ１５０に入力する（ステップ２０７０）。ステップ２０７０はステップ２０６０の後に実行する必要はなく、ステップ２０３０の治験実施機関情報を登録後ならいつでも実行可能である。
【００６７】
治験依頼者Ａ，Ｂは、依頼する治験に最適な治験実施機関を把握しておくため、治験契約支援センタ１５０にアクセスしてパネル統計情報を表示し（ステップ２０８０）、治験実施機関の最新情報を取得する。ステップ２０８０はステップ２０５０の後に実行する必要はなく、ステップ２０００の治験依頼者情報を登録後ならいつでも実行可能である。
【００６８】
なお、治験依頼者Ａ，Ｂの処理手順については図２１，２２，２３を用いて、治験実施機関ａ，ｂ，ｃの処理手順については図２４，２５を用いて詳細に説明する。
【００６９】
上記のような処理を行うことで、治験依頼者は依頼したい治験情報及び契約条件を公開し、治験実施機関は公開された情報を閲覧して自機関が希望する治験を自由に選択することができるようになる。更には、実施した治験に関する実績情報を治験実施機関から収集し、実績情報に基づいて格付け情報を更新することで、治験依頼者は治験実施機関と新規の契約を行う際の評価情報を得ることができるようになる。また、パネルの統計情報を管理しておくことにより、治験実施機関は自機関における治験の受託能力を治験依頼者にアピールすることができ、また、治験依頼者は複数の治験実施機関の中から治験に最適な機関を選択するための基礎データを取得することができる。
【００７０】
図２１は、治験契約支援システムにおいて治験依頼者側の概略の処理手順を示したフローチャートである。
【００７１】
治験依頼者Ａ，Ｂが入出力端末２００を利用して治験契約支援システムにアクセスすると（ステップ２１００）、情報配信機構１０００は治験依頼者情報テーブル６００を参照し、治験依頼者情報が登録済みかどうか判定を行う（ステップ２１１０）。治験依頼者情報が未登録の場合、図１１に詳細を示した治験依頼者情報登録インタフェース１１００が表示され、治験依頼者Ａ，Ｂに対して治験依頼者情報の入力が促される。治験依頼者Ａ，Ｂが登録ボタン１１８０を押下すると、情報配信機構１０００は治験依頼者情報を治験依頼者情報テーブル６００に登録した後、処理を終了し（ステップ２１２０）、ユーザ認証を実施する（ステップ２１３０）。ステップ２１１０において、治験依頼者情報が登録済みの場合、ユーザ認証が実施される（ステップ２１３０）。ステップ２１３０においてユーザ認証が失敗した場合、処理を終了する（ステップ２１８０）。
【００７２】
ステップ２１３０においてユーザ認証が成功すると、メニュー選択を実行可能となる。ステップ２１４０において、治験情報登録メニューが選択された場合、治験情報登録処理を実施し（ステップ２１５０）、ステップ２１４０に戻る。ステップ２１４０において、契約確定処理メニューが選択された場合、契約確定処理を実施し（ステップ２１６０）、ステップ２１４０に戻る。ステップ２１４０において、パネル統計情報表示メニューが選択された場合、図１９に詳細を示したパネル統計情報表示インタフェースを表示し（ステップ２１７０）、ステップ２１４０に戻る。ステップ２１４０において、終了メニューが選択された場合、処理を終了する（ステップ２１８０）。
【００７３】
なお、治験情報登録処理については図２２を用いて、契約確定処理について図２３を用いて詳細に説明する。
【００７４】
本発明によれば、上記の処理のように予め治験情報及び契約条件を登録しておくことにより、治験実施機関は該情報の中から希望する治験及び契約条件を選択することができる。
【００７５】
また、パネルの統計情報を管理しておくことにより、治験依頼者は複数の治験実施機関の中から治験に最適な機関を選択するための基礎データを取得することができる。
【００７６】
図２２は、治験情報登録処理の詳細の手順を示したフローチャートである。
治験情報登録処理２１５０が実行されると（ステップ２２００）、まず治験基本情報テーブル７００を参照し、治験基本情報が登録済みか判定する（ステップ２２１０）。治験基本情報が登録済みの場合は処理を終了する（ステップ２２８０）。ステップ２２１０において、治験基本情報が未登録の場合、図１３において詳細を示した治験基本情報登録インタフェース１３００が表示され、治験依頼者Ａ，Ｂに対して治験基本情報の入力が促される。治験依頼者Ａ，Ｂが登録ボタン１３９０を押下すると、情報配信機構１０００は治験基本情報を治験基本情報テーブル７００に登録する（ステップ２２２０）。
【００７７】
次に押下されたボタンを判定し（ステップ２２３０）、終了ボタン１３９８が押下された場合は処理を終了する（ステップ２２８０）。ステップ２２３０で契約条件生成ボタンが押下された場合、契約条件生成機構１０１０によって生成された契約条件を読み込んで、図１４において詳細を示した契約条件情報登録インタフェース１４００が表示され、治験依頼者Ａ，Ｂに対して契約条件情報の入力が促される。治験依頼者Ａ，Ｂが該契約条件情報登録インタフェース１４００に表示された契約条件情報を変更した場合（ステップ２２４０）、情報配信機構１０００は該変更値を用いて症例数小計領域１４５０、費用小計領域１４６０の数値を再計算して表示する（ステップ２２５０）。
【００７８】
契約条件情報登録インタフェース１４００に表示された契約条件情報を治験依頼者Ａ，Ｂが適切か否か判定し（ステップ２２６０）、適切な場合は治験依頼者Ａ，Ｂが登録ボタン１４７０を押下する。情報配信機構１０００は該押下操作に従って契約条件情報を契約条件情報テーブル７２０に登録する（ステップ２２７０）。ステップ２２６０において、治験依頼者Ａ，Ｂが契約条件情報が適切でないと判定した場合、ステップ２２４０に戻って契約条件情報を変更する。
【００７９】
上記処理のように予め治験基本情報及び契約条件を登録しておくことにより、治験実施機関は該情報の中から希望する治験及び契約条件を選択することができる。また、契約条件生成機構１０１０によって、治験実施機関が選択可能な適切な契約条件を自動的生成することで、治験依頼者は自ら行うべき契約条件の設定の手間を削減することができる。
【００８０】
図２３は、契約確定処理の詳細の手順を示したフローチャートである。
契約確定処理２１６０が実行されると、図１６において詳細を示した契約確定インタフェース１６００が表示される（ステップ２３００）。治験依頼者Ａ，Ｂは応募実施機関領域１６１０を見ることで契約条件に対して治験実施機関の応募が競合しているかを判定し（ステップ２３１０）、競合している場合、治験依頼者Ａ，Ｂは競合解消ボタン１６２０を押下する（ステップ２３２０）。競合解消ボタンが押下されると、応募競合解消機構１０２０は格付け情報テーブル９００を参照して競合している治験実施機関の解消処理を実施し（ステップ２３３０）、結果を契約確定インタフェース１６００に再表示する。
【００８１】
次に、治験依頼者Ａ，Ｂは契約確定インタフェース１６００に表示されている応募実施機関との契約が適切か否かを判定し（ステップ２３４０）、適切であれば確定ボタン１６３０を押下する（ステップ２３５０）。確定ボタン１６３０が押下されると、情報配信機構１０００は確定した契約情報を契約情報テーブル８００に登録し（ステップ２３６０）、処理を終了する（ステップ２３７０）。ステップ２３１０において治験実施機関の応募が競合していない場合は、ステップ２３５０へ進む。
【００８２】
上記のような応募競合解消機構１０２０を具備することで、ある特定の契約条件に複数の治験実施機関の応募が殺到した場合、格付け情報を参照して自動的に競合解消の処理が可能となり、治験依頼者が自ら行うべき競合の解消操作を削減することができる。
【００８３】
図２４は、治験契約支援システムにおいて治験実施機関側の概略の処理手順を示したフローチャートである。
治験実施機関ａ，ｂ，ｃが入出力端末３００を利用して治験契約支援システムにアクセスすると（ステップ２４００）、情報配信機構１０００は治験実施機関情報テーブル６２０を参照し、治験実施機関情報が登録済みかどうか判定を行う（ステップ２４１０）。ステップ２４１０において、治験実施機関情報が未登録の場合、図１２において詳細を示した治験実施機関情報登録インタフェース１２００が表示され、治験実施機関ａ，ｂ，ｃに対して治験実施機関情報の入力が促される。治験実施機関ａ，ｂ，ｃが登録ボタン１２９０を押下すると、情報配信機構１０００は治験実施機関情報を治験実施機関情報テーブル６２０に登録した後、処理を終了し（ステップ２４２０）、ユーザ認証を実施する（ステップ２４３０）。
【００８４】
ステップ２４１０において、治験実施機関情報が登録済みの場合、ユーザ認証が実施される（ステップ２４３０）。ステップ２４３０においてユーザ認証が失敗した場合、処理を終了する（ステップ２４８０）。ステップ２４３０においてユーザ認証が成功すると、メニュー選択を実行可能となる（ステップ２４４０）。
【００８５】
ステップ２４４０において、契約登録処理メニューが選択された場合、契約登録処理を実施し（ステップ２４５０）、ステップ２４４０に戻る。ステップ２４４０において、実績情報登録メニューが選択された場合、図１７に詳細を示した実績情報登録インタフェース１７００を表示し（ステップ２４６０）、ステップ２４４０に戻る。ステップ２１４０において、パネル統計情報入力メニューが選択された場合、図１８に詳細を示したパネル統計情報入力インタフェース１８００を表示し（ステップ２４７０）、ステップ２４４０に戻る。ステップ２４４０において、終了メニューが選択された場合、処理を終了する（ステップ２４８０）。なお、契約登録処理については図２５を用いて詳細に説明する。
【００８６】
上記のような処理を行うことで、治験実施機関は予め登録してある治験情報及び契約条件の中から希望する治験及び契約条件を選択することができる。また、パネルの統計情報を管理しておくことにより、治験実施機関は自機関における治験の受託能力を治験依頼者にアピールすることができる。更に、実施した治験の実績情報を管理しておくことにより、新たな契約を締結する際、治験実施機関からの応募が競合したときの評価情報として利用することができる。
【００８７】
図２５は、契約登録処理の詳細の手順を示したフローチャートである。
契約登録処理２４５０が実行されると、図１５において詳細を示した契約登録インタフェース１５００が表示される（ステップ２５００）。治験実施機関ａ，ｂ，ｃが契約登録インタフェース１５００に表示された契約条件のうち、希望のものが存在するかを判定し（ステップ２５１０）、希望の契約条件が存在しない場合は処理を終了する（ステップ２５７０）。
【００８８】
ステップ２５１０において、治験実施機関ａ，ｂ，ｃが希望の契約条件を見つけ、かつ、治験に関する詳細情報を閲覧したい場合は、詳細表示ボタン１５１０を押下する（ステップ２５２０）。詳細表示ボタン１５１０が押下された場合、情報配信機構１０００は該治験情報に関する詳細情報を表示する（ステップ２５３０）。詳細情報の表示インタフェースとしては、図１３に示した治験基本情報表示インタフェース１３００に類似したものを指す。治験に関する詳細表示を終了し、治験実施機関ａ，ｂ，ｃが契約領域１５２０にチェックを入力することで希望の契約条件を選択したら（ステップ２５４０）、登録ボタン１５３０を押下する（ステップ２５５０）。登録ボタン１５３０が押下されると、情報配信機構１０００は該契約条件と該治験実施機関の対応関係を契約情報テーブル８００に登録し（ステップ２５６０）、処理を終了する（ステップ２５７０）。ステップ２５１０において、治験実施機関ａ，ｂ，ｃが希望の契約条件を見つけ、かつ、治験に関する詳細情報を閲覧したくない場合は、ステップ２５４０へ進み希望の契約条件を選択する。
【００８９】
上記のような処理を行うことで、治験実施機関は予め登録してある治験情報及び契約条件の中から希望する治験及び契約条件を選択することができる。
【実施例２】
【００９０】
図２６は、本発明に係わる治験契約支援システムの第二の実施例における治験契約支援データベースに記憶されたテーブルの領域を示すブロック図である。
２６００は治験実施機関ａ，ｂ，ｃが実施を希望する治験情報を記憶する実施希望治験情報記憶領域である。実施希望治験情報記憶領域２６００については図２７を用いて詳細に説明する。このような構成を採ることで、本発明に係わる治験契約支援システム４４０は治験依頼者Ａ，Ｂから依頼したい治験に関する情報を取得するのはもちろん、治験実施機関ａ，ｂ，ｃからも希望する治験に関する情報を取得し、管理する。
【００９１】
本実施例によれば、治験実施機関は希望する治験情報及び契約条件を予め登録しておけば、治験依頼者が登録した治験の中から最適なものを選択し契約を行うことができる。
【００９２】
図２７は、実施希望治験情報記憶領域に記憶されたテーブルの説明図である。２７００は実施希望治験情報記憶領域２６００に記憶された実施希望治験情報テーブルであり、２７１０は実施希望治験情報テーブル２７００の主キーを管理するID領域、２７１１は治験実施機関情報テーブル６２０への外部キーを管理する治験実施機関ID領域、２７１２は治験実施機関ID領域２７１１で管理されている治験実施機関が希望する対象疾患名を管理する対象疾患領域、２７１３は該治験実施機関が希望する相を管理する相領域、２７１４は該治験実施機関が希望する治験の期間を管理する治験実施期間領域、２７１５は該治験実施機関が希望する症例数を管理する症例数領域、２７１６は該治験実施機関が希望する症例単価を管理する症例単価領域である。
【００９３】
実施希望治験情報テーブル２７００へ情報を登録するインタフェースについては図２９を用いて詳細に説明する。
【００９４】
上記のような構成を採ることで、本発明に係わる治験契約支援システム４４０は治験実施機関ａ，ｂ，ｃから希望する治験に関する情報を取得し、管理する。上記のような情報を管理することで、治験実施機関は希望する治験情報及び契約条件を予め登録しておけば、治験依頼者が登録した治験の中から最適なものを選択し契約を行うことができる。
【００９５】
図２８は、本発明の第二の実施例における制御及び情報配信機構の詳細な構成を示すブロック図である。２８００は契約条件情報テーブル７２０と実施希望治験情報テーブル２７００を参照し、情報のマッチングを行う契約条件情報・実施希望治験情報マッチング機構である。契約条件情報・実施希望治験情報マッチング機構２８００は、契約の確定処理が行われたとき起動される。契約条件情報・実施希望治験情報マッチング機構２８００は、契約条件情報テーブル７２０の情報と実施希望治験情報テーブル２７００の情報のマッチングを実施し、契約条件を満たす治験実施機関を抽出して契約情報テーブル８００に該治験実施機関の情報を登録する。
【００９６】
このような機構を具備することで、治験実施機関が予め登録しておいた希望する治験情報及び契約条件と、治験依頼者が登録した治験情報及び契約条件とをマッチングし、治験実施機関及び治験依頼者の双方に最適な契約条件で治験契約を成立することができる。
【００９７】
図２９は、実施希望治験情報を登録するためのインタフェースの説明図である。２９００は実施希望治験情報テーブル２７００へ情報を登録するための実施希望治験情報登録インタフェースであり、２９１０は対象疾患領域２７１２へ希望する対象疾患名を入力するための対象疾患入力領域、２９２０は相領域２７１３へ希望する相を入力するための相入力領域、２９３０は治験実施期間領域２７１４へ希望の実施期間を入力するための治験実施期間入力領域、２９４０は症例数領域２７１５へ希望する症例数を入力するための症例数入力領域、２９５０は症例単価領域２７１６へ希望する症例単価を入力するための症例単価入力領域、２９６０は上記情報を治験契約支援データベース４２０に登録するための登録ボタンである。
【００９８】
上記のインタフェースを用い、治験実施機関ａ，ｂ，ｃが希望する治験に関する情報を入力し、登録ボタン２９６０を押下すると、情報配信機構１０００は実施希望治験情報テーブル２７００に該情報を登録する。このようなインタフェースを用いて、治験実施機関は希望する治験情報及び契約条件を予め登録しておけば、治験依頼者が登録した治験の中から最適なものを選択し契約を行うことができる。
【００９９】
図３０は、本発明の第二の実施例における治験契約支援センタへの操作を時間軸に沿って示した説明図である。
治験依頼者Ａ，Ｂは、まず治験依頼者情報を治験契約支援センタ１５０に登録し、本発明に係わる治験契約支援システムへのアクセス権を取得する（ステップ２０００）。次に、依頼したい治験基本情報を治験契約支援センタ１５０に登録し（ステップ２０１０）、更に該治験基本情報を基に生成した契約条件情報も登録し（ステップ２０２０）、治験情報の登録を完了する。
【０１００】
治験情報の登録完了後、治験実施機関ａ，ｂ，ｃはまず、治験契約支援センタ１５０に自身の治験実施機関情報を登録し、本発明に係わる治験契約支援システムへのアクセス権を取得する（ステップ２０３０）。次に、実施を希望する治験に関する情報を登録する（ステップ３２００）。この時点では登録しただけで、確定したわけではない。ステップ３２００はステップ２０１０及びステップ２０２０の前に実行しても構わない。
【０１０１】
ある程度契約の登録が行われた時点で、治験依頼者Ａ，Ｂは契約を確定し（ステップ２０５０）、該確定した情報に従って治験依頼者Ａ，Ｂと治験実施機関ａ，ｂ，ｃの間で契約を締結する。治験を受託した治験実施機関ａ，ｂ，ｃは、直ちに治験を開始し、終了時には該治験に関する実績情報を登録する（ステップ２０６０）。治験契約支援センタでは該実績情報に基づき格付け情報を更新し、新規契約時の応募の競合に備えておく。
【０１０２】
一方、治験実施機関ａ，ｂ，ｃは、自機関における治験の受託能力を治験依頼者Ａ，Ｂにアピールするため、パネル統計情報を治験契約支援センタ１５０に入力する（ステップ２０７０）。ステップ２０７０はステップ２０６０の後に実行する必要はなく、ステップ２０３０の治験実施機関情報を登録後ならいつでも実行可能である。
【０１０３】
治験依頼者Ａ，Ｂは、依頼する治験に最適な治験実施機関を把握しておくため、治験契約支援センタ１５０にアクセスしてパネル統計情報を表示し（ステップ２０８０）、治験実施機関の最新情報を取得する。ステップ２０８０はステップ２０５０の後に実行する必要はなく、ステップ２０００の治験依頼者情報を登録後ならいつでも実行可能である。
【０１０４】
本実施例によれば、治験実施機関は希望する治験情報及び契約条件を、治験依頼者も依頼する治験情報及び契約条件を登録しておけば、治験契約支援システムが該情報のマッチングを行ってくれるので、治験実施機関及び治験依頼者の双方に最適な契約条件で治験契約を成立することができる。
【０１０５】
図３１は、本発明の第二の実施例における契約確定処理の詳細の手順を示したフローチャートである。
契約確定処理２１６０が実行されると（ステップ３１００）、まず実施希望治験情報テーブル２７００を参照し、実施希望治験情報が登録されているかを判定する（ステップ３１１０）。ステップ３１１０で登録済みの場合、契約条件情報・実施希望治験情報マッチング機構２８００が起動される。契約条件情報・実施希望治験情報マッチング機構２８００は契約条件情報テーブル７２０の情報と実施希望治験情報テーブル２７００の情報のマッチングを実施し、契約条件を満たす治験実施機関を抽出して契約情報テーブル８００に該治験実施機関の情報を登録する（ステップ３１２０）。その後、契約確定インタフェース１６００を表示する。
【０１０６】
次に、治験依頼者Ａ，Ｂは応募実施機関領域１６１０を見ることで契約条件に対して治験実施機関の応募が競合しているかを判定し（ステップ３１３０）、競合している場合、治験依頼者Ａ，Ｂは競合解消ボタン１６２０を押下する（ステップ３１４０）。競合解消ボタンが押下されると、応募競合解消機構１０２０は格付け情報テーブル９００を参照して競合している治験実施機関の解消処理を実施し（ステップ３１５０）、結果を契約確定インタフェース１６００に再表示する。次に、治験依頼者Ａ，Ｂは契約確定インタフェース１６００に表示されている応募実施機関との契約が適切か否かを判定し（ステップ３１６０）、適切であれば確定ボタン１６３０を押下する（ステップ３１７０）。確定ボタン１６３０が押下されると、情報配信機構１０００は確定した契約情報を契約情報テーブル８００に登録し（ステップ３１８０）、処理を終了する（ステップ３１９０）。
【０１０７】
ステップ３１１０において実施希望治験情報が登録されていない場合は処理を終了する（ステップ３１９０）。ステップ３１３０において治験実施機関の応募が競合していない場合は、ステップ３１６０へ進む。
【０１０８】
上記のような処理を行うことで、治験実施機関は希望する治験情報及び契約条件を、治験依頼者も依頼する治験情報及び契約条件を登録しておけば、治験契約支援システムが該情報のマッチングを行ってくれるので、治験実施機関及び治験依頼者の双方に最適な契約条件で治験契約を成立することができる。
【０１０９】
図３２は、本発明の第二の実施例における契約登録処理の詳細の手順を示したフローチャートである。
契約登録処理２４５０が実行されると、図２９において詳細を示した実施希望治験情報登録インタフェース２９００が表示される（ステップ３２００）。治験実施機関ａ，ｂ，ｃが実施希望治験情報登録インタフェース２９００を用いて実施を希望する治験に関する情報を入力し（ステップ３２１０）、登録ボタン２９６０を押下すると（ステップ３２２０）、情報配信機構１０００は実施希望治験情報を実施希望治験情報テーブル２７００に登録し、処理を終了する（ステップ３２３０）。
【０１１０】
上記のような処理によって、治験実施機関は希望する治験情報及び契約条件を予め登録しておけば、治験依頼者が登録した治験の中から最適なものを選択し契約を行うことができる。
【図面の簡単な説明】
【０１１１】
【図１】本発明の第一の実施例における関連機関の関係を示すブロック図である。
【図２】治験依頼者のシステム構成を示すブロック図である。
【図３】治験実施機関のシステム構成を示すブロック図である。
【図４】治験契約支援センタのシステム構成を示すブロック図である。
【図５】治験契約支援データベースに記憶されたテーブルの領域を示すブロック図である。
【図６】治験依頼者情報記憶領域及び治験実施機関情報記憶領域に記憶されたテーブルの説明図である。
【図７】治験基本情報記憶領域及び契約条件情報記憶領域に記憶されたテーブルの説明図である。
【図８】契約情報記憶領域及び治験実績情報記憶領域に記憶されたテーブルの説明図である。
【図９】格付け情報記憶領域及びパネル統計情報記憶領域に記憶されたテーブルの説明図である。
【図１０】制御及び情報配信機構の詳細な構成を示すブロック図である。
【図１１】治験依頼者が治験依頼者情報を登録するためのインタフェースの説明図である。
【図１２】治験実施機関が治験実施機関情報を登録するためのインタフェースの説明図である。
【図１３】治験依頼者が治験基本情報を登録するためのインタフェースの説明図である。
【図１４】治験依頼者が契約条件情報を登録するためのインタフェースの説明図である。
【図１５】治験実施機関が契約を登録するためのインタフェースの説明図である。
【図１６】治験依頼者が契約を確定するためのインタフェースの説明図である。
【図１７】治験実施機関が治験の実績情報を登録するためのインタフェースの説明図である。
【図１８】治験実施機関がパネルの統計情報を入力するためのインタフェースの説明図である。
【図１９】治験依頼者がパネルの統計情報を表示するためのインタフェースの説明図である。
【図２０】治験契約支援センタへの操作を時間軸に沿って示した説明図である。
【図２１】治験契約支援システムにおいて治験依頼者側の概略の処理手順を示したフローチャートである。
【図２２】治験情報登録処理の詳細の手順を示したフローチャートである。
【図２３】契約確定処理の詳細の手順を示したフローチャートである。
【図２４】治験契約支援システムにおいて治験実施機関側の概略の処理手順を示したフローチャートである。
【図２５】契約登録処理の詳細の手順を示したフローチャートである。
【図２６】本発明の第二の実施例における治験契約支援データベースに記憶されたテーブルの領域を示すブロック図である。
【図２７】実施希望治験情報記憶領域に記憶されたテーブルの説明図である。
【図２８】本発明の第二の実施例における制御及び情報配信機構の詳細な構成を示すブロック図である。
【図２９】実施希望治験情報を登録するためのインタフェースの説明図である。
【図３０】治験契約支援センタへの操作を時間軸に沿って示した説明図である。
【図３１】契約確定処理の詳細の手順を示したフローチャートである。
【図３２】契約登録処理の詳細の手順を示したフローチャートである。
【符号の説明】
【０１１２】
１５０…契約支援センタ、１６０…広域ネットワーク
２００…入出力端末
３００…入出力端末、３１０…被験者パネルデータベース、３２０…データベース制御機構
４００…入出力端末、４１０…制御及び情報配信機構、４２０…治験契約支援データベース、４３０…データベース制御機構、４４０…治験契約支援システム
５００…治験依頼者情報記憶領域、５１０…治験実施機関情報記憶領域、５２０…治験基本情報記憶領域、５３０…契約条件情報記憶領域、５４０…契約情報記憶領域、５５０…治験実績情報記憶領域、５６０…格付け情報記憶領域、５７０…パネル統計情報記憶領域
６００…治験依頼者情報テーブル、６１０…ID領域、６１１…ユーザ名領域、６１２…パスワード領域、６１３…商号領域、６１４…所在地領域、６１５…電話番号領域、６１６…資本金領域、６１７…従業員数領域、６２０…治験実施機関情報テーブル、６３０…ID領域、６３１…ユーザ名領域、６３２…パスワード領域、６３３…名称領域、６３４…所在地領域、６３５…電話番号領域、６３６…病床数領域、６３７…外来患者数領域、６３８…診療科数領域
７００…治験基本情報テーブル、７１０…ID領域、７１１…治験依頼者ID領域、７１２…治験名称領域、７１３…対象疾患領域、７１４…相領域、７１５…選択・除外基準領域、７１６…プロトコル領域、７１７…治験期間領域、７１８…総症例数領域、７１９…総予算領域、７２０…契約条件情報テーブル、７３０…ID領域、７３１…治験基本ID領域、７３２…治験実施期間領域、７３３…治験実施機関数領域、７３４…症例数領域、７３５…症例単価領域
８００…契約情報テーブル、８１０…ID領域、８１１…契約条件ＩＤ領域、８１２…治験実施機関ID領域、８１３…応募年月日領域、８１４…契約年月日領域、８２０…治験実績情報テーブル、８３０…ID領域、８３１…契約ID領域、８３２…開始年月日領域、８３３…終了年月日領域、８３４…実績症例数領域
９００…格付け情報テーブル、９１０…ID領域、９１１…治験実施機関ID領域、９１２…対象疾患領域、９１３…ランク領域、９１４…更新年月日領域、９２０…パネル統計情報テーブル、９３０…ID領域、９３１…治験実施機関ID領域、９３２…対象疾患領域、９３３…被験者数領域、９３４…更新年月日領域
１０００…情報配信機構、１０１０…契約条件生成機構、１０２０…応募競合解消機構、１０３０…格付け情報更新機構
１１００…治験依頼者情報登録インタフェース、１１１５…ユーザ名入力領域、１１２０…パスワード入力領域、１１３０…商号入力領域、１１４０…所在地入力領域、１１５０…電話番号入力領域、１１６０…資本金入力領域、１１７０…従業員数入力領域、１１８０…登録ボタン
１２００…治験実施機関情報登録インタフェース、１２１０…ユーザ名入力領域、１２２０…パスワード入力領域、１２３０…名称入力領域、１２４０…所在地入力領域、１２５０…電話番号入力領域、１２６０…病床数入力領域、１２７０…外来患者数入力領域、１２８０…診療科数入力領域、１２９０…登録ボタン
１３００…治験基本情報登録インタフェース、１３１０…治験名称入力領域、１３２０…対象疾患入力領域、１３３０…相入力領域、１３４０…選択・除外基準入力領域、１３５０…プロトコル入力領域、１３６０…治験期間入力領域、１３７０…総症例数入力領域、１３８０…総予算入力領域、１３９０…登録ボタン、１３９５…契約条件生成ボタン、１３９８…終了ボタン
１４００…契約条件情報登録インタフェース、１４１０…治験実施期間表示領域、１４２０…治験実施機関数表示領域、１４３０…症例数表示領域、１４４０…症例単価表示領域、１４５０…症例数小計表示領域、１４６０…治験費用小計表示領域、１４７０…登録ボタン
１５００…契約登録インタフェース、１５１０…詳細表示ボタン、１５２０…契約入力領域、１５３０…登録ボタン
１６００…契約確定インタフェース、１６１０…応募実施機関表示領域、１６２０…競合解消ボタン、１６３０…確定ボタン
１７００…実績情報登録インタフェース、１７１０…開始年月日入力領域、１７２０…終了年月日入力領域、１７３０…実績症例数入力領域、１７４０…登録ボタン
１８００…パネル統計情報入力インタフェース、１８１０…疾患名入力領域、１８２０…被験者数入力領域、１８３０…登録ボタン
１９００…パネル統計情報表示インタフェース
２６００…実施希望治験情報記憶領域
２７００…実施希望治験情報テーブル、２７１０…ID領域、２７１１…治験実施機関ID領域、２７１２…対象疾患領域、２７１３…相領域、２７１４…治験実施期間領域、２７１５…症例数領域、２７１６…症例単価領域
２８００…契約条件情報・実施希望治験情報マッチング機構
２９００…実施希望治験情報登録インタフェース、２９１０…対象疾患入力領域、２９２０…相入力領域、２９３０…治験実施期間入力領域、２９４０…症例数入力領域、２９５０…症例単価入力領域、２９６０…登録ボタン
【図１】
2007122295.tif 000003
【図２】
2007122295.tif 000004
【図３】
2007122295.tif 000005
【図４】
2007122295.tif 000006
【図５】
2007122295.tif 000007
【図６】
2007122295.tif 000008
【図７】
2007122295.tif 000009
【図８】
2007122295.tif 000010
【図９】
2007122295.tif 000011
【図１０】
2007122295.tif 000012
【図１１】
2007122295.tif 000013
【図１２】
2007122295.tif 000014
【図１３】
2007122295.tif 000015
【図１４】
2007122295.tif 000016
【図１５】
2007122295.tif 000017
【図１６】
2007122295.tif 000018
【図１７】
2007122295.tif 000019
【図１８】
2007122295.tif 000020
【図１９】
2007122295.tif 000021
【図２０】
2007122295.tif 000022
【図２１】
2007122295.tif 000023
【図２２】
2007122295.tif 000024
【図２３】
2007122295.tif 000025
【図２４】
2007122295.tif 000026
【図２５】
2007122295.tif 000027
【図２６】
2007122295.tif 000028
【図２７】
2007122295.tif 000029
【図２８】
2007122295.tif 000030
【図２９】
2007122295.tif 000031
【図３０】
2007122295.tif 000032
【図３１】
2007122295.tif 000033
【図３２】
2007122295.tif 000034